(57)【要約】【課題】ベッドに寝かせた乳児を、背中を丸めた体位となるように保持し且つ使用の度に同じ体位を再現できると共に、不使用時に体積を小さくできるベビーベッドを提供する。【解決手段】ベビーベッドＢは、ビニル樹脂で形成された袋体であり、側壁部と底部が複数のチューブの組み合わせであり、上方が開口した箱状のフレーム体１と、フレーム体１の内部に収容され、復元性、柔軟性及びクッション性を備えると共に、連続気泡を有する合成樹脂の発泡体であり、その両側面である背当て体側面部２２の形状が略鈍角三角形状且つ略不等辺三角形状である略三角柱状に形成され、横置きにして使用される背当て体２と、フレーム体１に着脱可能であってフレーム体１全体を内包可能な大きさであり、カバー上面部３１と、カバー側面部３２及びカバー底面部３３とが伸縮性の異なる布地で構成されたカバー３とを備える。【選択図】図１
2017006159.tif 000002
【特許請求の範囲】
【請求項１】
気体を充填して膨らませる柔軟な合成樹脂の袋体で構成され、底面部および同底面部から立設した側壁部を有すると共に、上方に開口部が形成されるフレーム体と、
応力により変形し、応力消失後に形状回復する柔軟素材で形成され、該フレーム体の内底面に横置きされた略三角柱体であり、柱体軸方向と直交する方向の断面形状が、一辺が他の二辺よりも長い略三角形状であると共に、各側面において最も広い面を上に向けて背当て面とし、同背当て面が同フレーム体の内底面の中央方向へ下り傾斜するように内側面側に寄せて配置された背当て体と、
伸縮可能で、伸びたときに所定の張力が発生するシート状素材で形成され、前記フレーム体の前記開口部を覆うように取り付けられたカバーとを備える
ベビーベッド。
【請求項２】
前記背当て体が、同背当て体の柱体軸方向と直交する方向の断面形状が、１００°から１４０°の鈍角を有する略鈍角三角形状かつ略不等辺三角形状である
請求項１に記載のベビーベッド。
【請求項３】
前記背当て体が、前記背当て面に、その柱体軸方向の中間部が最も深くなる緩曲面である窪みを有している
請求項１または請求項２に記載のベビーベッド。
【請求項４】
前記カバーが、前記フレーム体に着脱可能に構成され、かつ、同フレーム体全体を内包可能な大きさであり、少なくとも同フレーム体の側壁部を覆う部分の一部または全部が、伸縮しないか、または伸縮しにくい素材で形成されている
請求項１、請求項２または請求項３に記載のベビーベッド。
【請求項５】
柔軟性およびクッション性がある素材で形成され、底面部および同底面部から立設した側壁部を有すると共に、上方に開口部が形成され、折り畳みが可能な構造であるフレーム体と、
該フレーム体内に配置され、復元性を有する柔軟素材で形成されると共に、同フレーム体の内底面の中央方向へ下り傾斜する背当て面が設けられた背当て体と、
伸縮可能で、伸びたときに所定の張力が発生するシート状素材で形成され、前記フレーム体の前記開口部を覆うように取り付けられたカバーとを備える
ベビーベッド。
【発明の詳細な説明】
【技術分野】
【０００１】
本発明は、ベビーベッドに関するものである。更に詳しくは、ベッドに寝かせた乳児を、背中を丸めた体位となるように保持し、かつ、使用のたびに同じ体位を再現できると共に、不使用時には体積を小さくすることができるものに関する。
【背景技術】
【０００２】
近年、乳児にとって快適な体位は、母親の胎内にいるときと同じ様に背中を丸く保った状態であり、この体位であれば乳児が安心し、むずかることが少なくなるという研究結果が報告されている。
この報告を受けて、例えば、特許文献１に記載された乳児用ベッドが提案されている。
【０００３】
図６に示す特許文献１記載の乳児用ベッド９は、ベッド面９１、側面９２および底面９３からなり、側面９２の伸縮性がベッド面９１および底面９３の伸縮性に比較して小さく、生地がベッド面および底面に比較して硬くなっているカバー９０と、カバー９０内に７５容量％〜９５容量％の範囲内の量が内蔵され、０．５ｍｍ〜３．０ｍｍの範囲内の値の平均粒径を有する合成樹脂製の発泡ビーズとから構成されたものである。
【０００４】
乳児用ベッド９によれば、発泡ビーズがカバー９０内を流動することによってベッド面９１に凹状部が生じると共に、側面９２の生地の硬さによってベッド面９１が凹状に保持され、ベッド面に乳児が寝かされたときに乳児の身体が背骨の後湾を保ったままベッド面に載せられる。
【先行技術文献】
【特許文献】
【０００５】
【特許文献１】特開２００２−２７０３９号公報
【発明の概要】
【発明が解決しようとする課題】
【０００６】
しかしながら、乳児用ベッド９は、発泡ビーズがカバー９０内を流動する構造であるため、ベッド面９１に形成される凹状部の形状が毎回変化し、乳児の姿勢が歪んだり、窮屈になったりする場合もあり、必ずしも良姿勢が保持されるとは限らない。
【０００７】
また、発泡ビーズは内袋に入れてからカバー９０に内蔵されるか、直接内蔵するようにした構造であるため、横から力が加わった場合や乳児が寝返りをした際に、乳児が乳児用ベッド９から落下するおそれもある。
【０００８】
他方、乳児用ベッド９は、発泡ビーズを内包した構造であるため、軽量ではあるものの、体積を小さくすることはできず、運搬や収納の際には嵩張るものであった。
【０００９】
本発明は、以上の点を鑑みて創案されたものであり、ベッドに寝かせた乳児を、背中を丸めた体位となるように保持し、かつ、使用のたびに同じ体位を再現できると共に、不使用時には体積を小さくすることができるベビーベッドを提供することを目的とするものである。
【課題を解決するための手段】
【００１０】
上記の目的を達成するために本発明のベビーベッドは、気体を充填して膨らませる柔軟な合成樹脂の袋体で構成され、底面部および同底面部から立設した側壁部を有すると共に、上方に開口部が形成されるフレーム体と、応力により変形し、応力消失後に形状回復する柔軟素材で形成され、該フレーム体の内底面に横置きされた略三角柱体であり、柱体軸方向と直交する方向の断面形状が、一辺が他の二辺よりも長い略三角形状であると共に、各側面において最も広い面を上に向けて背当て面とし、同背当て面が同フレーム体の内底面の中央方向へ下り傾斜するように内側面側に寄せて配置された背当て体と、伸縮可能で、伸びたときに所定の張力が発生するシート状素材で形成され、前記フレーム体の前記開口部を覆うように取り付けられたカバーとを備える。
【００１１】
ここで、ベビーベッドは、その上面に乳児を寝かせると、カバーが伸びて、フレーム体の内部に乳児が沈み込み、カバーの張力および背当て体が協働することによって、乳児が背中を丸めた体位となるように保持することができる。
【００１２】
フレーム体は、気体を充填して膨らませる柔軟な合成樹脂の袋体であるので、膨らんだ状態では定形性を有すると共に、不使用時には気体を抜いて体積を小さくすることができる。また、フレーム体を構成する袋体は柔軟性およびクッション性を有するので、仮に乳児の体がフレーム体に当たったとしても怪我することが無く、安全性が高い。
【００１３】
更に、フレーム体は、上方に形成された開口部に乳児を寝かせ、その体が沈み込むと、側壁部が乳児の周囲を囲んだ状態となることによって、横方向から外力が作用した場合や乳児が寝返りをした際に、乳児がベビーベッドから落下しないか、または落下しにくい。
【００１４】
背当て体は、背当て面がフレーム体の内底面の中央方向へ向け下り傾斜しているので、寝かせた乳児がフレーム体の内部に沈み込むと、乳児の背中が背当て面に傾斜して載置されるようになる。これにより、乳児の背中が斜めになると共に、腰から下がカバーの張力で持ち上げられるようになるので、体全体としては、背中を丸めた体位となるように保持される。
【００１５】
更に、応力により変形し、応力消失後に形状回復する柔軟素材で形成された前述の形状の背当て面を有する背当て体を用いることにより、寝かせた乳児が沈み込み過ぎることがなく、使用のたびに同じ体位を再現できる。
【００１６】
カバーは、乳児を寝かせると荷重により伸びて、乳児を持ち上げる方向にその張力が生じることで、乳児が背中を丸めた体位となるように保持する。
【００１７】
前記背当て体が、同背当て体の柱体軸方向と直交する方向の断面形状が、１００°から１４０°の鈍角を有する略鈍角三角形状かつ略不等辺三角形状である場合は、背当て面以外の背当て体の底面となる部分を入れ替えることにより、背当て面の傾斜角度を変えることができる。
【００１８】
即ち、背当て体は、断面形状が略不等辺三角形状であるので、背当て面以外の辺のうちの長い方を底辺とした場合は傾斜が緩くなり、乳児の月齢の低い（概ね生後２ヶ月から４ヶ月）ときに使用することができ、背当て面となる辺以外の辺のうちの短い方を底辺とした場合は、背当て面以外の辺のうちの長い方を底辺とした場合よりも傾斜がきつくなり、乳児の月齢の高いとき（概ね生後４ヶ月から６ヶ月）に使用することができる。
【００１９】
前記背当て体が、前記背当て面に、その柱体軸方向の中間部が最も深くなる緩曲面である窪みを有している場合は、乳児の姿勢が良姿勢となるようにサポートする。即ち、この背当て体は、左右両側よりも中央が窪んだ形状であるため、乳児の左右両肩よりも背中側が沈むことで肩が前に出るような姿勢となり、乳児の体位が丸まるようにサポートされる。
【００２０】
前記カバーが、前記フレーム体に着脱可能に構成され、かつ、同フレーム体全体を内包可能な大きさであり、少なくとも同フレーム体の側壁部を覆う部分の一部または全部が、伸縮しないか、または伸縮しにくい素材で形成されている場合は、フレーム体の側壁部を覆う部分の布地で、フレーム体の開口部に取り付けられたシート状素材に加わる荷重を支えて伸び過ぎないようにし、張力を発生させることができる。また、カバーは、取り外すことができるので、カバーを洗濯または交換できて衛生的である。
【００２１】
上記の目的を達成するために本発明のベビーベッドは、柔軟性およびクッション性がある素材で形成され、底面部および同底面部から立設した側壁部を有すると共に、上方に開口部が形成され、折り畳みが可能な構造であるフレーム体と、フレーム体内に配置され、復元性を有する柔軟素材で形成されると共に、同フレーム体の内底面の中央方向へ下り傾斜する背当て面が設けられた背当て体と、伸縮可能で、伸びたときに所定の張力が発生するシート状素材で形成され、前記フレーム体の前記開口部を覆うように取り付けられたカバーとを備える。
【００２２】
ここで、ベビーベッドは、その上面に乳児を寝かせると、カバーが伸びて、フレーム体の内部に乳児が沈み込み、カバーの張力および背当て体が協働することによって、乳児が背中を丸めた体位となるように保持することができる。
【００２３】
フレーム体は、折り畳みが可能な構造であるので、不使用時には折り畳んで体積を小さくすることができる。また、フレーム体は、柔軟性およびクッション性を有することによって、仮に乳児の体がフレーム体に当たったとしても怪我することが無く、安全性が高い。
【００２４】
更に、フレーム体は、上方に形成された開口部に乳児を寝かせ、その体が沈み込むと、側壁部が乳児の周囲を囲んだ状態となることによって、横方向から外力が作用した場合や乳児が寝返りをした際に、乳児がベビーベッドから落下しないか、または落下しにくい。
【００２５】
背当て体は、背当て面がフレーム体の内底面の中央方向へ下り傾斜しているので、寝かせた乳児がフレーム体の内部に沈み込むと、乳児の背中が背当て面に傾斜して載置されるようになる。これにより、乳児の背中が斜めになると共に、腰から下がカバーの張力で持ち上げられるようになるので、体全体としては、背中を丸めた体位となるように保持される。
【００２６】
更に、復元性を有する柔軟素材で形成され、前述の形状の背当て面を有する背当て体を用いることにより、寝かせた乳児が沈み込み過ぎることがなく、使用のたびに同じ体位で再現できる
【００２７】
カバーは、寝かせた乳児の荷重により伸びて、乳児を持ち上げる方向にその張力が生じることで、乳児が背中を丸めた体位となるように保持する。
【発明の効果】
【００２８】
本発明によるベビーベッドによれば、ベッドに寝かせた乳児を、背中を丸めた体位となるように保持し、かつ、使用のたびに同じ体位を再現できると共に、不使用時には体積を小さくすることができる。
【図面の簡単な説明】
【００２９】
【図１】本発明のベビーベッドの一実施の形態を示す斜視図である。
【図２】図１に示すベビーベッドのカバーを外した状態を示す斜視説明図である。
【図３】図１に示すベビーベッドの背当て体の斜視説明図である。
【図４】図３に示す背当て体の側面視説明図であり、（ａ）は第１の傾斜状態であり、（ｂ）は第２の傾斜状態である。
【図５】図１に示すベビーベッドの使用状態を示す断面視説明図である。
【図６】特許文献１記載の乳児用ベッドを示した斜視図である。
【発明を実施するための形態】
【００３０】
図１ないし図５を参照して、本発明の実施の形態を更に詳細に説明する。なお、各図における符号は、煩雑さを軽減し理解を容易にする範囲内で付している。
【００３１】
ベビーベッドＢは、フレーム体１と、フレーム体１の内部に収容される背当て体２と、フレーム体１に着脱可能であってフレーム体１全体を内包可能な大きさであるカバー３とを備える。以下、各構成部材について詳述する。
【００３２】
フレーム体１は、ビニル樹脂で形成された袋体であり、側壁部および底部が複数のチューブを組み合わせて構成してあり、空気注入口（図示省略）から空気を注入して膨らませると、柔軟性およびクッション性を有し、かつ、上方に向けて開口したフレーム体開口部１１が形成される（図２参照）。また、フレーム体１は、平面視で一方向に長い略長方形であり、乳児Ｐを寝かせて内部に納めることができる大きさである（図５参照）。
【００３３】
なお、本実施の形態においては、背当て体２のある方（乳児Ｐを寝かせる際に頭側となる方）がわかりやすいように、フレーム体１の短手側の側壁部の一方が、他方よりもやや高く形成されているが、これに限定するものではなく、例えば、短手側の側壁部の両方が同じ高さであってもよく、この場合、カバーに印等を付す等して頭側を示すようにしてあることが好ましい。また、フレーム体１は、平面視で一方向に長い略長方形であるが、これに限定するものではなく、例えば、平面視長円径のもの、あるいは、平面視正方形のもの等、上方が開口した有底箱状であればよい。
【００３４】
背当て体２は、復元性、柔軟性およびクッション性を備えると共に、連続気泡を有する合成樹脂の発泡体であって、略三角柱状に形成され、横置きにして使用される。
【００３５】
背当て体２は、その横幅がフレーム体１の内底面の短手側と略同じであり、その高さがフレーム体１の側壁部の上縁よりもやや低い程度であって、フレーム体開口部１１側から見て、背当て面２１がフレーム体１の内底面の略半分を占める大きさに形成されている（図２、図５参照）。
【００３６】
また、背当て体２は、柱体軸方向と直角に形成されている背当て体側面部２２のうち、最も長い辺である長辺２５が上になるように配置され、長辺２５が周縁の一部を構成する面（各面のうち、最も面積が広い面）が背当て面２１となる（図２、図３参照）。なお、背当て体側面部２２は、先に述べた「柱体軸方向と直交する方向の断面形状」と実質的に同じ形状である。
【００３７】
背当て体２は、背当て面２１が前方（乳児Ｐを寝かせた際に足側となる方）へ向け下り傾斜すると共に、フレーム体１内部の背側（乳児Ｐを寝かせた際に頭側となる方）に、第１の短辺２３あるいは第２の短辺２４が周縁の一部を構成するいずれかの面が向くように横置きにされる。背当て面２１は、その横幅方向に、中央部が最も深くなる緩曲面を有する窪みが形成されている（図２、図３参照）。
【００３８】
背当て体２は、その両側面である背当て体側面部２２の形状が略鈍角三角形状かつ略不等辺三角形状である。背当て体側面部２２は、先述した長辺２５と、第１の短辺２３と、第２の短辺２４を有しており、第１の短辺２３と第２の短辺２４の間に位置する鈍角が１２０°となっている。
【００３９】
カバー３は、ポリエステル糸およびポリウレタン糸によるスムース編みの布地で形成されたカバー上面部３１と、ポリエステル糸１００％のスムース編みの布地で形成されたカバー側面部３２およびカバー底面部３３とを、それぞれの境界部分で縫着して一体に設けられている。
【００４０】
カバー側面部３２およびカバー底面部３３の境界部分には、フレーム体１の長手方向の長さよりもやや長い長さの切り口（図示省略）が形成されており、この切り口はファスナー（図示省略）が取り付けられている。この切り口を通して、背当て体２を入れたフレーム体１をカバー３の中に納めることができる。
【００４１】
（作  用）
図１ないし図５を参照して、ベビーベッドＢの作用効果を説明する。
【００４２】
図１に示すベビーベッドＢは、乳児Ｐを寝かせる前の状態であり、かつ乳児Ｐを起こして他の場所等に移した後の状態でもある。フレーム体開口部１１を覆う部分であるカバー上面部３１は、その張力により荷重が掛かっていない状態では、略平坦に保たれる。つまり、乳児Ｐを起こして他の場所等に移した後は、図５に示すように押し下げられたカバー上面部３１が略平坦な状態に復帰する。
【００４３】
図５に示すように、ベビーベッドＢの上面に乳児Ｐを仰向けにして寝かせる。乳児Ｐの体重でカバー上面部３１が伸び、フレーム体１の内部に乳児Ｐが沈み込む。
このとき、カバー側面部３２とカバー底面部３３がカバー上面部３１に加わる荷重を支えて伸び過ぎないように支え、カバー上面部３１に張力が発生する。
【００４４】
そして、乳児Ｐは、その背中（上半身）がカバー上面部３１を介して背当て体２の背当て面２１に沿って斜めに載置され、乳児Ｐの腰から下（下半身）はカバー上面部３１の張力で持ち上げられて浮いた状態に保持される。このように、カバー３の張力および背当て体２が協働することによって、乳児Ｐが背中を丸めた体位となる。
【００４５】
乳児Ｐは、この体位であれば胎内にいるときと同じような安心感が得られ、むずかることが少なくなる。また、図５に示すように、乳児Ｐの頭を高くした姿勢に保たれるので、ミルクの吐き戻しも防止できる。
【００４６】
背当て体２は、復元性、柔軟性およびクッション性を備えるので、寝かせた乳児Ｐが沈み込み過ぎることがないように保持でき、一方で、定形性を有し、使用前の元の形状に復元する。更に、背当て体２は、背当て面２１に窪みが形成されていることによって、乳児Ｐの左右両肩よりも背中側が沈み込む。この結果、肩が前に出るような姿勢となり、乳児Ｐの体位が丸まるようにサポートされる。
このように、背当て体２によれば、使用のたびに同じ体位を再現できる。
【００４７】
また、背当て体２は、底面となる部分を入れ替えることで、背当て面２１の傾斜角度を変更することができる。
【００４８】
例えば、図４（ａ）に示すように、第１の短辺２３が周縁の一部を構成する面を底面にした場合、フレーム体１の内底面に対して背当て面２１の傾斜角度が約２５°となり、乳児の月齢が２ヶ月から４ヶ月頃に好適に使用できる。
【００４９】
一方、図４（ｂ）に示すように、第２の短辺２４が周縁の一部を構成する面を底面にした場合、フレーム体１の内底面に対して背当て面２１の傾斜角度が約３５°となり、乳児の月齢が４ヶ月から６ヶ月頃に好適に使用できる。
【００５０】
フレーム体１は、柔軟性およびクッション性を有しており、仮に乳児Ｐの体がフレーム体１に当たったとしても怪我することが無く、安全性が高い。
また、フレーム体１は、乳児Ｐを寝かせて体が沈み込むと、側壁部が乳児Ｐの周囲を囲んだ状態となる。この結果、仮に、フレーム体１の横方向から外力が作用したり、乳児Ｐが寝返りをしたりするような場合でも、乳児ＰがベビーベッドＢから落下することを防止できる。
【００５１】
更にフレーム体１は、空気を抜くと体積を小さくできる。これにより、店頭陳列時や収納時等に嵩張らずに保管でき、また、運搬もしやすい。
【００５２】
汚れたカバー３は、取り外して洗濯または交換できるので、衛生的である。
【００５３】
本実施の形態において、背当て体２の背当て体側面部２２は、略鈍角三角形状かつ略不等辺三角形状であるが、これに限定するものではなく、例えば、略鈍角三角形状かつ略二等辺三角形状、あるいは、略直角三角形状かつ略不等辺三角形状であってもよいし、背当て面に形成する窪みの深さや形状を調整することによって略直角三角形状かつ略二等辺三角形状にすることもできる。
【００５４】
本実施の形態において、背当て体２の背当て体側面部２２における鈍角は、１２０°であるが、これに限定するものではなく、例えば、１００°から１４０°の範囲内で形成してもよいし、更に好ましくは１１０°から１３０°の範囲内で形成してもよい。１００°以下にすると寝かせた乳児の体が起き過ぎて窮屈になり、１４０°以上にすると寝かせた乳児の体が寝過ぎて体位が丸まった状態になりにくいためである。また、１１０°から１３０°の範囲内であれば、寝かせた乳児の体位が丸まった状態になりやすい。なお、底面を入れ替えると背当て面２１が異なる角度になるので、乳児の月齢によって傾斜角度を調整可能である。
【００５５】
本実施の形態において、背当て面２１は、横幅方向のみ緩曲面を有する窪みが形成されているが、これに限定するものではなく、例えば、乳児の背筋に沿うような縦方向への緩曲面を有する窪みが形成されていてもよいし、縦横いずれの方向にも緩曲面を有する窪みが形成されていてもよい。
【００５６】
本実施の形態において、背当て体２は、連続気泡を有する合成樹脂の発泡体であって、復元性、柔軟性およびクッション性を有する（いわゆる高反発性）素材で形成されているが、これに限定するものではなく、例えば、低反発性その他高反発性以外の素材で形成されたもの、背当て体の一部のみが高反発性素材で形成されたものを除外するものではないが、少なくとも、圧縮したのちに外力を除くと瞬時に復元する復元性、柔軟性およびクッション性、通気性を有するものであることが好ましい。
【００５７】
本実施の形態において、カバー３の各部分に用いる布地は前述の通りであるが、これに限定するものではなく、例えば、カバー上面部については伸縮性を有する他の種類の布地、糸あるいは編み方を、カバー側面部およびカバー底面部については伸縮しないか、または伸縮しにくい性質の他の種類の布地、糸あるいは編み方を、それぞれ採用してもよい。
【００５８】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。また、本発明の技術思想の範囲内で、種々の変形態様が可能であるということは言うまでもない。更にまた、第１、第２などの言葉は、等級や重要度を意味するものではなく、一つの要素を他の要素から区別するために使用したものである。
【符号の説明】
【００５９】
Ｓ１    第１のステップ
１２０    本体部
Ｂ    ベビーベッド
Ｐ    乳児
１    フレーム体
１１    フレーム体開口部
２    背当て体
２１    背当て面
２２    背当て体側面部
２３    第１の短辺
２４    第２の短辺
２５    長辺
３    カバー
３１    カバー上面部
３２    カバー側面部
３３    カバー底面部
９    乳児用ベッド
９０    カバー
９１    ベッド面
９２    側面
９３    底面
【図１】
2017006159.tif 000003
【図２】
2017006159.tif 000004
【図３】
2017006159.tif 000005
【図４】
2017006159.tif 000006
【図５】
2017006159.tif 000007
【図６】
2017006159.tif 000008